(57)【要約】【課題】導光板の発光面を明暗差なく均一に発光させることができるＬＥＤを光源とするサイドライト型バックライト装置を提供する。【解決手段】複数個の点光源６と、点光源からの光を入光面１１から導入し、反射面１２にて反射させて発光面１３からその光を出光するように導光する導光板１とを備えたサイドライト型バックライト装置において、導光板１の反射面１２に、入光面１１から導入された光を発光面１３に向けて反射させる反射パターン１５を形成し、かつ、導光板における入光面の近くの部分に当該入光面に平行に貫通孔１４を形成した。【選択図】図２
2007220447.tif 000002
【特許請求の範囲】
【請求項１】
複数個の点光源と、前記点光源からの光を入光面から導入し、反射面にて反射させて発光面からその光を出光するように導光する導光板とを備えたサイドライト型バックライト装置において、
前記導光板の反射面に、前記入光面から導入された光を前記発光面に向けて反射させる反射パターンを形成し、かつ、前記導光板における前記入光面の近くの部分に当該入光面に平行に貫通孔を形成したことを特徴とするサイドライト型バックライト装置。
【請求項２】
前記導光板において、前記貫通孔は前記入光面の近傍に形成し、前記反射パターンは当該貫通孔の際から前記反射面の全体に形成したことを特徴とする請求項１に記載のサイドライト型バックライト装置。
【請求項３】
前記貫通孔を複数箇所に形成したことを特徴とする請求項１又は２に記載のサイドライト型バックライト装置。
【発明の詳細な説明】
【技術分野】
【０００１】
本発明は、液晶表示装置用のサイドライト型バックライト装置に関する。
【背景技術】
【０００２】
従来より、薄型が特に要求される液晶表示装置、例えば、ノート型ＰＣ、車載ナビゲーション用テレビ等には、細管の蛍光ランプと導光板、レンズシート、拡散シートなどで構成されるサイドライト型バックライト装置が採用されてきた。ところが、近年、青色ＬＥＤや白色ＬＥＤの性能が向上し、安価に入手できるようになってきたことから、光源として冷陰極蛍光ランプが主流であったサイドライト型バックライト装置にも、このＬＥＤを光源として採用するものが開発されている。―特開２００１−１６０３１２号公報（特許文献１）。このＬＥＤを光源とするサイドライト型バックライト装置は、ＬＥＤの点灯制御回路が簡単であり、また低電力化も期待できるため、将来に大きな需要が期待できる。
【０００３】
ＬＥＤを光源とするサイドライト型バックライト装置の場合、点光源であるＬＥＤを多数個、列をなすように配置してサイドライトとし、この多数個の列設されたＬＥＤからの光を導光板の端面から導入し、導光板内で散乱、拡散させて発光面から液晶パネルに向けて出光させる構成である。
【０００４】
このような構成のサイドライト型バックライト装置の場合、光源がＬＥＤという点光源であるので、ＬＥＤを多数列設しても各ＬＥＤ部分とＬＥＤ間部分とで明暗が生じることが避けられない。そのため、導光板の発光面を明暗差なく均一に発光させる技術の開発が要求されている。
【特許文献１】特開２００１−１６０３１２号公報
【発明の開示】
【発明が解決しようとする課題】
【０００５】
本発明は、このような従来の技術的課題に鑑みてなされたもので、導光板の発光面を明暗差なく均一に発光させることができるＬＥＤを光源とするサイドライト型バックライト装置を提供することを目的とする。
【課題を解決するための手段】
【０００６】
請求項１の発明は、複数個の点光源と、前記点光源からの光を入光面から導入し、反射面にて反射させて発光面からその光を出光するように導光する導光板とを備えたサイドライト型バックライト装置において、前記導光板の反射面に、前記入光面から導入された光を前記発光面に向けて反射させる反射パターンを形成し、かつ、前記導光板における前記入光面の近くの部分に当該入光面に平行に貫通孔を形成したものである。
【０００７】
請求項２の発明は、請求項１のサイドライト型バックライト装置において、前記導光板において、前記貫通孔は前記入光面の近傍に形成し、前記反射パターンは当該貫通孔の際から前記反射面の全体に形成したことを特徴とするものである。
【０００８】
請求項３の発明は、請求項１又は２のサイドライト型バックライト装置において、前記貫通孔を複数箇所に形成したことを特徴とするものである。
【発明の効果】
【０００９】
本発明のサイドライト型バックライト装置によれば、導光板の反射面に、その入光面から導入された光を発光面に向けて反射させる反射パターンを形成し、かつ、導光板における入光面の近くの部分に当該入光面に平行に貫通孔を形成したことにより、強い指向性を持つ点光源を多数個列設してサイドライトとしていても、導光板内の貫通光により入射光を効果的に拡散させることができ、その発光面を明暗差なく均一に発光させることができる。
【発明を実施するための最良の形態】
【００１０】
以下、本発明の実施の形態を図に基づいて詳説する。図１に示した本発明の１つの実施の形態の液晶表示装置用のサイドライト型バックライト装置は、透明板の導光板１の背面側（図で下面側）に反射シート２を配置し、導光板１の前面側に順に光を拡散させるための第１の拡散シート３、レンズシート４、第２の拡散シート５を配置し、また、導光板１の入光面を成す側面に多数個のＬＥＤ６を列設したＬＥＤアセンブリ７を配置し、これらの構成部材を、筐体を成すバックフレーム８とフロントフレーム９との間に組み込んだ構成である。ゴムホルダ１０はＬＥＤアセンブリ７をバックフレーム８に対して保持すると共にＬＥＤ６群に給電するためのものである。
【００１１】
図２、図３に示すように、導光板１の側面の入光面１１に対して、ＬＥＤアセンブリ７が近接して設置されている。導光板１はこのＬＥＤアセンブリ７に対向する側面を入光面１１とし、そして図で底面となる面を反射面１２とし、この反射面１２とは反対側の表面を発光面１３としている。そして、導光板１における入光面１１に近接する位置に入光面１１と平行に貫通孔１４が形成されている。この貫通孔１４は、ＬＥＤアセンブリ７の各ＬＥＤ６から導光板１に入光面１１を通して入光した光を反射面１２、発光面１３に平行な方向へ拡散させる働きをするものである。図４、図５に示すように、導光板１の反射面１２には、貫通孔１４よりも中央部よりの位置から始まり、そのほぼ全面に印刷、シボあるいはサンドブラスト処理により反射パターン１５を形成し、入光面１１から導光板１に入光し、貫通孔１４にて拡散した光を発光面１３の方向に効果的に反射させるようにしてある。
【００１２】
次に、上記構成のサイドライト型バックライト装置の動作を説明する。図３（ａ）に示すように点光源であるＬＥＤ６から光２１はある程度の拡がり幅ｘをもって出光する。このＬＥＤ６からの光２１は、図３（ｂ）に示すように、入光面１１を通して導光板１内に入光し、導光板１の屈折率により屈折して光２２に示すように拡がり、貫通孔１４にて再度空中に出向して光２３に示すようにさらに拡がり、そして貫通孔１４を出て再び導光板１内に入光するときにも屈折し、光２４としてさらに拡がり幅ｙ（ｘ＜＜ｙ）まで拡がり、十分に拡散した光として反射面１２上に導光される。これにより、多数の点光源であるＬＥＤ６からの光が同様に十分に拡散して導光板１の反射面１２上に導光されることになるので、点光源ゆえにそのＬＥＤ部とＬＥＤ間部とで明暗がはっきりしていたものが、反射面１２上に導入されたときには明暗差がない均一な明るさになる。
【００１３】
例えば、導光板１が屈折率１．４９の透明アクリル板であり、導光板１の入光面１１から２ｍｍの位置に１．５ｍｍ幅の貫通孔１４を形成した場合、導光板１に貫通孔１４を形成しない場合の拡がり幅ｘに対して、拡がり幅ｙは１５％程度広くなる。
【００１４】
こうして導光板１に反射面１２上にほぼ均一な明るさになって導入された光は、反射面１２の反射パターン１５によって発光面１３側に反射され、発光面１３から輝度のバラツキがない均一な輝度分布の光として出光し、液晶パネルの全体を背方から明暗のむらなく照明することができることになる。
【００１５】
尚、図６（ａ）〜（ｃ）に示したように、貫通孔１４の幅の大小によって光の拡がり幅は異なる。貫通孔１４を設けない場合の拡がり幅ｘに対して、貫通孔１４の幅Ａ，Ｂ（Ａ＜Ｂ）とした場合の光の拡がり幅ｙ，ｚはｙ＜ｚとなり、貫通孔１４の幅を適度に大きくすることで点光源であるＬＥＤ６のＬＥＤ間の暗線部を補い、発光面１３からより均一な輝度分布の光を出光できることになる。また、入射光の均一な拡散を確保するために貫通孔１４を複数条、近接して列設することも可能である。
【図面の簡単な説明】
【００１６】
【図１】本発明の１つの実施の形態のサイドライト型バックライト装置の分解斜視図。
【図２】上記実施の形態のサイドライト型バックライト装置のＬＥＤアセンブリと導光板の貫通孔部分との拡大斜視図。
【図３】上記実施の形態のサイドライト型バックライト装置におけるＬＥＤから導光板に入光した光の拡散挙動の説明図。
【図４】上記実施の形態のサイドライト型バックライト装置の垂直断面図。
【図５】上記実施の形態のサイドライト型バックライト装置の底面図。
【図６】上記実施の形態のサイドライト型バックライト装置において、導光板に形成する貫通孔の幅と光の拡がり幅との関係を示す説明図。
【符号の説明】
【００１７】
１  導光板
６  ＬＥＤ
７  ＬＥＤアセンブリ
１１  入光面
１２  反射面
１３  発光面
１４  貫通孔
１５  反射パターン
【図１】
2007220447.tif 000003
【図２】
2007220447.tif 000004
【図３】
2007220447.tif 000005
【図４】
2007220447.tif 000006
【図５】
2007220447.tif 000007
【図６】
2007220447.tif 000008